(57)【要約】      （修正有）【課題】搬送及び積み重ねが可能な液密で且つ耐漏液性の梱包箱及びそれに一体化された取外し可能な蓋構造を提供する。【解決手段】梱包箱は、底面と、箱の長辺の折り曲げ面と、短辺の鉛直面３とから形成され、鉛直面３が、鉛直面３と底面との間の折り目から鉛直な姿勢に折れ曲がり、且つ、短辺の鉛直面３と積載面４との間の折り目から水平面へと折れ曲がるようになっている。成形舌部１５が積載面４の外端に形成され、蓋構造２５の角２７が、成形舌部の下に滑り込むように案内される。【選択図】図２
0003218024.tif 000002
【実用新案登録請求の範囲】
【請求項１】
底面（１）と、
箱の長辺の折り曲げ面（２）と、
短辺の鉛直面（３）とから形成され、
前記鉛直面（３）が、前記鉛直面（３）と前記底面（１）との間の折り目（２２）から鉛直な姿勢に折れ曲がり、且つ、短辺の前記鉛直面（３）と積載面（４）との間の折り目（１７）から水平面へと折れ曲がるようになっている梱包箱及びそれに一体化された取外し可能な蓋構造（２５）において、
成形舌部（１５）が前記積載面（４）の外端に形成され、前記蓋構造（２５）の角（２７）が、前記成形舌部の下に滑り込むように案内されることを特徴とする梱包箱及びそれに一体化された取外し可能な蓋構造（２５）。
【請求項２】
前記成形舌部（１５）が、二重折り曲げ部（１０）の外側のショルダーに形成されたことを特徴とする、請求項１に記載の梱包箱及びそれに一体化された取外し可能な蓋構造（２５）。
【請求項３】
前記成形舌部（１５）が、長辺の形状切断された辺（８）の面と共に、前記蓋構造（２５）前記角（２７）の係止手段として機能し、前記舌部（１５）と前記面（８）との間を押し付けて、且つ摩擦によって係止することを特徴とする、請求項１に記載の梱包箱及びそれに一体化された取外し可能な蓋構造（２５）。
【請求項４】
前記箱に一体化された個別の前記蓋（２５）の構造が平らなシートであり、前記梱包箱の短辺の端部の方向に前記蓋を横断する折り目（２６）が、前記蓋の中心に形成されて、前記蓋（２５）の平坦部（２８）を前記成形舌部（１５）の下へと位置付けるように案内することを特徴とする、請求項１に記載の梱包箱及びそれに一体化された取外し可能な蓋構造（２５）。
【請求項５】
前記梱包箱が、
前記梱包箱の前記舌部（１５）の下に設置される固いシートと、
個別の蓋構造（２５）として機能する前記シートと、
液密角ベローズ（６）と液密角ベローズ（７）との間の傾斜した折り曲げ部（１８）とを備え、
前記折り曲げ面（２）と前記角ベローズ（７）との間の傾斜した円錐折り曲げ部（２１）において、その折り曲げ線が前記底面（１）と前記鉛直面（３）との間の前記折り目（２２）に対して傾斜するようになっていることを特徴とする、請求項１に記載の梱包箱及びそれに一体化された取外し可能な蓋構造（２５）。
【考案の詳細な説明】
【技術分野】
【０００１】
本考案の対象は、請求項１のプリアンブルに規定される梱包箱及びそれに一体化された取外し可能な蓋構造である。
【背景技術】
【０００２】
梱包の分野では、様々な需要のために開発されてきた異なる梱包容器が多く知られている。梱包容器の構造は主に使用目的によって決定される。しかしながら、梱包容器の設計では、梱包容器の製造や使用に関する他の側面も考慮する必要がある。ほとんどの場合、特に、まとめられた梱包容器を移動させたり積み重ねたりする際に、梱包容器を液密にして且つ漏れないように取り扱えるようにしなければならないという点が問題となる。
【０００３】
例えば、肉や魚を梱包する食品産業では、搬送及び積み重ねが可能な液密で且つ耐漏液性の梱包容器が必要とされる。また、肉や魚の梱包容器は、衛生的な材料、すなわち脂肪分の多い食品との接触が認可されている材料から作られなければならない。それに加え、肉や魚用の箱は、１つの梱包の重量が最大２０ｋｇにもなることがあり、通常でも１０箱の高さに積み重ねられるため、極めて頑丈でなければならない。このため、更に、梱包容器の構造的剛性及びそれらの積載強度が重要な課題となる。
【０００４】
当該技術分野で既知のものによれば、発泡ポリスチレン又はプラスチックをプレス成型して作られ、また上からの充填が可能で且つ積み重ねが可能な耐漏液性梱包容器が、肉の保存及び搬送によく使用されている。しかしながら、こうした箱は使用前に広い保管場所を必要とするため、不要な費用がかかってしまう。また、使用後の廃棄についても問題がある。更に、製造に使用される材料が再利用不可能であることから、環境保全の観点から見ると、上記のような梱包容器の使用は環境への配慮がなされていない。
【０００５】
また、当該技術分野では段ボール製の液密梱包容器も知られ、このような解決策は特許文献１に開示されている。この公表文献では、それ自体が当該技術分野で知られる角ベローズが設けられた解決策が使用されている。この構造の欠点は一体型の蓋フラップであり、上から箱に充填する際に問題となる。このフラップは、生産ラインでの手動又は機械でのいずれの充填時にも、充填段階における問題となる。多くの工場のコンベヤライン上には、直立したフラップのための余裕がない。別の場所でフラップを畳むのは手際が悪くなる上、費用のかかる技術を現行の手順に追加しなければならない可能性もある。箱を手動で組み立てる場合には、積載面の全長に亘る二重折り曲げ部が、手で畳むには固く、単純な蓋を構造に追加するのも困難である。
【０００６】
液密な角を有し且つ角ベローズが設けられた段ボール製の箱には、箱の重量が重いと箱の端部が外方に膨らんでしまうという他の問題がある。このため、他の箱が上に積まれると、下の箱を押し込もうとしてしまう。これは、箱を取り扱う際、特に箱の下部にある箱の蓋を取り扱う際に大きな妨げとなる。
【０００７】
液密な角による幾つかの解決策では、段ボール片によって、長辺を端部の折り目の間で係止するが、この解決策では長辺にとって十分に密な係止が提供されないため、緩んだ構造によって耐荷重性が減少する。
【０００８】
上から充填可能で且つその形状の維持に優れた段ボールから作られることによる耐漏液の解決策は、液体内容物を含む食料品の積み重ね及び取り扱いにも使用されているが、この場合、上部の積載面が機械的に接着される。これには費用のかかる別の梱包機械を要するため、大きな欠点となる。梱包容器の製造において、梱包容器の費用対効果が重要な要素であり、構造的な視点から見ると、梱包容器の部品を機能的に結合し締結することは極めて重要である。
【先行技術文献】
【特許文献】
【０００９】
【特許文献１】フィンランド実用新案第１０６５８号
【考案の概要】
【００１０】
本考案の目的は、従来技術の短所を回避する手段によって解決策を実現することである。本考案に係る解決策によれば、全く新しい蓋解決策を実現することができる。この蓋解決策は、特に、完全な液密且つ耐漏液性の梱包箱によく適している。そのため、本考案に係る梱包容器は、梱包が重たい場合でも変わらず取り扱い易い。また、この梱包容器は、多くの層が順に積み重なってもその形状を保持する。
【００１１】
本考案は、段ボール梱包容器及びそのブランクに関し、ブランクは、接着剤を使わず機械的に又は手動で形成されて、内側からの液体及び漏れに対して密であり、且つ外側からの湿度及び液体に対しても密である。梱包容器は積み重ね可能であり、梱包の妨げとなる蓋フラップの代わりに、短い積み重ねショルダーを有する。
【００１２】
より正確には、本考案は請求項に示すものを備えることを特徴とする。以下、本考案は、添付の図面を参照しながら実施例を用いることで、より詳細に説明される。
【図面の簡単な説明】
【００１３】
【図１】本考案に係る梱包箱ブランクを示す。
【図２】組み立てられた、本考案に係る梱包箱及び蓋を示す。
【図３】梱包箱及びそれに一体化された蓋構造を示す。
【図４】蓋の構造を示す。
【考案を実施するための形態】
【実施例１】
【００１４】
本考案に係る梱包箱は、接着剤を使わずに機械的に又は手動で形成される、段ボール製で一体形状の、液密な梱包箱である。図１及び図２によれば、この箱は、底面１と、長辺の折り曲げ面２と、短辺の鉛直面３と、短辺の積載面４と、短辺の積載面の裏側５と、液密角構造を実現する角ベローズ６及び７とを有する。図１によれば、接着剤を使わず機械的に又は手動で形成された図２に係るこうした梱包容器が１つのダイカットブランクから得られ、この梱包容器において、面２、３、４、５、６及び７によって液密で且つ耐漏液性の構造が形成される。角ベローズ６及び７は、傾斜した折り曲げ部１８によって、鉛直面３の内側へと、互いに向かって折り曲げられる。
【００１５】
図３及び図４によれば、本考案は、梱包箱及びそれに一体化された個別の取外し可能な蓋構造２５に関する。この梱包箱において肝要なのは、成形舌部１５が積載面４の外端に形成され、蓋構造２５及び角に形成された平坦部２８における角２７が、成形舌部の下に滑り込むように案内されることである。成形舌部１５は、二重折り曲げ部１０の外側のショルダーに形成される。
【００１６】
長辺の形状切断された辺８も、本考案において重要なものであり、この形状切断された辺は、長辺の構造を補強すると同時に、箱を積み重ねる際に、取外し可能な蓋構造２５の支持部として機能する。成形舌部１５は、短辺の鉛直面３と積載面４との間の折り目１７から、面８の上に、水平面へと折り曲げられる。角２７は、舌部１５と辺８の面と共に蓋構造の係止手段として機能し、角２７の平坦部２８が舌部１５と面８との間に押し付けられて、摩擦によってその位置に係止されるようになっている。
【００１７】
取外し可能な蓋２５の構造は、本質的には平らなシートであり、その幅及び長さは要求に合わせて変化する。しかしながら、蓋２５の幅は、ほとんどの場合、実際は梱包箱自体と同じ幅か、少なくともその開口部自体と同じ幅である。蓋２５の長さは、蓋の角２７が舌部１５の下にしっかりと係止されるように、舌部１５に基づいて決定される。蓋２５の長さは、ほとんどの場合、積載面４間の内端の長さ及び／又は二重折り曲げ部１６間の開口部の長さ、又は少なくとも梱包箱自体の開口部の長さである。これに加えて、梱包箱の短辺の端部の方向に蓋を横断する横折り目２６が、蓋２５の中心に形成される。この折り目２６は、角２７の平坦部２８を成形舌部１５の下へと位置付けるように案内することで、蓋２５の設置を容易にする。こうして、この構造は、当該技術分野で既知のものに対して極めて単純なものとなる。それにもかかわらず、この解決策は、有利なシート状の蓋の使用を可能にして、且つ箱の蓋を閉じる作業速度を上げることができる。先に用いられていた解決策は、より複雑で、かなりの製造費用がかかっていた。検討すべき要因は、費用効果が、梱包産業において間違いなく最も重要な競争利点の１つであるということである。
【００１８】
上記に加えて、一体化される蓋構造は、耐漏液性で且つ液密な梱包容器用の保護カバーとしてもよく適している。こうして、梱包箱の成形舌部１５の下に設置され、個別の取外し可能な蓋構造２５として機能する固いシートを備える、特に有利な梱包箱の適用が得られる。梱包箱は、液密角ベローズ６と液密角ベローズ７との間に傾斜した折り曲げ部１８を備える。これに加えて、箱は、折り曲げ面２と角ベローズ７との間に傾斜した円錐折り曲げ部２１を備え、その折り曲げ線２１が底面１と鉛直面３との間の折り目２２に対して傾斜するようになっている。こうして、蓋構造の角２７が梱包箱に極めてきつく係止されることで、箱の内側に傾斜する円錐構造が得られる。
【００１９】
ここで、梱包箱は、個別の構造２５として機能する一体化される蓋を備える。これにより、上記の実施例と共に、極めて良好な梱包箱構造が形成される。当業者にとって、本考案が上記の実施例に限定されず、以下に示す請求項の範囲において変更が可能であることは自明である。
【図１】
0003218024.tif 000003
【図２】
0003218024.tif 000004
【図３】
0003218024.tif 000005
【図４】
0003218024.tif 000006